(57)【要約】【課題】ユーザが所望する態様で、精査処理の内容を切り替えることが可能な貨幣処理装置および貨幣処理システムを提供する。【解決手段】貨幣入出金機１は、貨幣を収容する貨幣収容部（紙幣カセット１７０、紙幣スタッカ１８０）と、貨幣収容部に対する処理を制御する制御部３１と、記憶部３２と、を備える。記憶部３２は、貨幣収容部に収容されている貨幣の在高が不確定となり得る事象が生じていない場合には貨幣収容部に対する貨幣の計数を行わないクイック精査処理と、前記事象の有無に拘わらず貨幣収容部に対する貨幣の計数を行う通常精査処理との何れ精査処理を行うかについて設定された条件を記憶する。制御部３１は、記憶部３２に記憶された条件に基づいて、クイック精査処理と通常精査処理の何れか一方を実行する。【選択図】図４
2019087093.tif 000002
【特許請求の範囲】
【請求項１】
貨幣を収容する貨幣収容部と、
前記貨幣収容部に対する処理を制御する制御部と、
記憶部と、を備え、
前記記憶部は、前記貨幣収容部に収容されている貨幣の在高が不確定となり得る事象が生じていない場合には前記貨幣収容部に対する貨幣の計数を行わないクイック精査処理と、前記事象の有無に拘わらず前記貨幣収容部に対する貨幣の計数を行う通常精査処理との何れの精査処理を行うかについて設定された条件を記憶し、
前記制御部は、前記記憶部に記憶された前記条件に基づいて、前記クイック精査処理と前記通常精査処理の何れか一方を実行する、
ことを特徴とする貨幣処理装置。
【請求項２】
複数の前記貨幣収容部が設けられ、
前記制御部は、前記クイック精査処理において、前記複数の貨幣収容部のうち、前記事象が生じていない前記貨幣収容部に対しては前記貨幣の計数を行わず、前記事象が生じている前記貨幣収容部に対して前記貨幣の計数を行う、
請求項１に記載の貨幣処理装置。
【請求項３】
前記条件は、日、曜日および時間帯の少なくとも１つにより設定される、
請求項１または２に記載の貨幣処理装置。
【請求項４】
前記条件は、前記精査処理の実行回数により設定される、
請求項１ないし３の何れか一項に記載の貨幣処理装置。
【請求項５】
前記条件は、前記精査処理の実行間隔により設定される、
請求項１ないし４の何れか一項に記載の貨幣処理装置。
【請求項６】
表示部を備え、
前記制御部は、前記事象が生じている場合、前記精査処理の際に、不確定な在高を示す情報を前記表示部に表示させる、
請求項１ないし５の何れか一項に記載の貨幣処理装置。
【請求項７】
表示部を備え、
前記制御部は、前記精査処理の際に、確定している在高を示す情報を前記表示部に表示させる、
請求項１ないし６の何れか一項に記載の貨幣処理装置。
【請求項８】
通信部を備え、
前記制御部は、前記事象が生じている場合、前記精査処理の際に、不確定な在高を示す情報を前記通信部から外部装置に送信させる、
請求項１ないし７の何れか一項に記載の貨幣処理装置。
【請求項９】
通信部を備え、
前記制御部は、前記通信部を介して他の貨幣処理装置に在高に関連し得る不具合が生じたことの通知を受けた場合、前記条件に拘わらず、前記精査処理において前記通常精査処理を実行する、
請求項１ないし８の何れか一項に記載の貨幣処理装置。
【請求項１０】
貨幣収容部を備えた貨幣処理装置と、前記貨幣処理装置に接続された管理装置と備える貨幣処理システムにおいて、
制御部と、
記憶部と、を備え、
前記記憶部は、前記貨幣収容部に収容されている貨幣の在高が不確定となり得る事象が生じていない場合には前記貨幣収容部に対する貨幣の計数を行わないクイック精査処理と、前記事象の有無に拘わらず前記貨幣収容部に対する貨幣の計数を行う通常精査処理との何れの精査処理を行うかについて設定された条件を記憶し、
前記制御部は、前記記憶部に記憶された前記条件に基づいて、前記クイック精査処理と前記通常精査処理の何れか一方を実行する、
貨幣処理システム。
【発明の詳細な説明】
【技術分野】
【０００１】
本発明は、貨幣の入出金等の処理を行う貨幣処理装置および貨幣処理システムに関する。
【背景技術】
【０００２】
金融機関に設置された種々の貨幣処理装置では、装置の保有在高が在高データとして管理されており、この在高データと実際の在高とが一致することを確認するための精査処理が、たとえば１日の業務終了時等において実行される。この他、ＡＴＭ（Automated Teller Machine）等の自動取引装置では、装置の保有在高を管理するホストコンピュータに装置の現在高を通知して、装置の保有在高の正当性を担保する処理が実行される。
【０００３】
以下の特許文献１には、装置内の保有在高をホストコンピュータに通知する自動取引装置が記載されている。この自動取引装置では、装置が保持する貨幣の保有在高が不確定となり得る事象が生じたか否かによって、装置内の貨幣を計数する精査処理と、装置内の貨幣を計数しない精査処理の何れかが実行される。具体的には、貨幣の保有在高が不確定となり得る事象が生じた場合に、貨幣を計数する精査処理が実行され、貨幣の保有残高が不確定となる事象が生じていない場合は、画面に対するオペレータの選択指示に応じて、装置内の貨幣を計数する精査処理と、装置内の貨幣を計数しない精査処理の何れか一方が実行される。
【先行技術文献】
【特許文献】
【０００４】
【特許文献１】特開２０１６−３１６８６号公報
【発明の概要】
【発明が解決しようとする課題】
【０００５】
金融機関等では、就業スケジュールや装置の運用傾向等を勘案しながら精査処理の種類や内容を任意に切り替えたい場合が起こり得る。しかしながら、上記特許文献１の構成では、貨幣の保有在高が不確定となり得る事象が生じたか否かによって装置側で精査処理が切り替えられるため、ユーザが所望する態様で精査処理の内容を任意に切り替えることができなかった。
【０００６】
かかる課題に鑑み、本発明は、ユーザが所望する態様で、精査処理の内容を切り替えることが可能な貨幣処理装置および貨幣処理システムを提供することを目的とする。
【課題を解決するための手段】
【０００７】
本発明の第１の態様は、貨幣処理装置に関する。本態様に係る貨幣処理装置は、貨幣を収容する貨幣収容部と、前記貨幣収容部に対する処理を制御する制御部と、記憶部と、を備える。ここで、前記記憶部は、前記貨幣収容部に収容されている貨幣の在高が不確定となり得る事象が生じていない場合には前記貨幣収容部に対する貨幣の計数を行わないクイック精査処理と、前記事象の有無に拘わらず前記貨幣収容部に対する貨幣の計数を行う通常精査処理との何れ精査処理を行うかについて設定された条件を記憶する。前記制御部は、前記記憶部に記憶された前記条件に基づいて、前記クイック精査処理と前記通常精査処理の何れか一方を実行する。
【０００８】
本態様に係る貨幣処理装置によれば、ユーザが所望する態様で精査処理をクイック精査処理と通常精査処理との間で切り替えることができる。よって、ユーザは、たとえば、貨幣処理装置が設置される施設の就業スケジュールや装置の運用傾向等を勘案しながら、所望の態様で、クイック精査処理と通常精査処理を実行させることができる。これにより、貨幣処理装置の利便性を高めることができる。
【０００９】
本態様に係る貨幣処理装置において、たとえば金種に応じて複数の前記貨幣収容部が設けられた場合、前記制御部は、前記クイック精査処理において、前記複数の貨幣収容部のうち、前記事象が生じていない前記貨幣収容部に対しては前記貨幣の計数を行わず、前記事象が生じている前記貨幣収容部に対して前記貨幣の計数を行うよう構成され得る。
【００１０】
この構成によれば、クイック精査処理の際に、在高が不確定な可能性のある貨幣収容部のみに対して貨幣の計数が行われるため、クイック精査処理を迅速かつ効率的に実行させることができる。
【００１１】
本態様に係る貨幣処理装置において、クイック精査処理と通常精査処理の何れの精査処理を行うかの前記条件は、日、曜日および時間帯の少なくとも１つにより設定され得る。
【００１２】
この構成によれば、たとえば、週初の中頃の曜日や、就業時間の中頃の時間帯には、クイック精査処理により簡易に在高の確認を行い、月末や週の終わりの曜日、就業終了時には、通常精査処理により精緻に在高の確認を行う等の運用を行うことができる。この他、ランダムな日や時間、曜日に抜き打ち的に、精査処理をクイック精査処理から通常精査処理に切り替えることもできる。このように、上記構成によれば、所望のスケジュールでクイック精査処理と通常精査処理とを切り替えることができる。
【００１３】
この他、クイック精査処理と通常精査処理の何れ精査処理を行うかの前記条件は、前記精査処理の実行回数により設定されてもよい。
【００１４】
この構成によれば、たとえば、クイック精査処理が所定回数連続した場合は、次の精査処理を通常精査処理に設定する等の運用を行うことができる。これにより、貨幣収容部の貨幣が長期に亘って計数されないことを防ぐことができ、貨幣収容部の在高を適切に確認することができる。あるいは、１日の間に所定回数クイック精査処理が行われると、次の精査処理を通常精査処理に設定する等の運用を行うこともできる。これにより、在高の正当性をより確実に担保することができる。
【００１５】
また、クイック精査処理と通常精査処理の何れ精査処理を行うかの前記条件は、前記精査処理の実行間隔により設定されてもよい。
【００１６】
この構成によれば、たとえば、通常精査処理が所定期間実行されない場合は、次の精査処理を通常精査処理に設定する等の運用を行うことができる。これにより、貨幣収容部の貨幣が長期に亘って計数されないことを防ぐことができ、貨幣収容部の在高を適切に確認することができる。
【００１７】
本態様に係る貨幣処理装置において、前記制御部は、在高が不確定となり得る事象が生じている場合に、前記精査処理の際に、不確定な在高を示す情報を表示部に表示させるよう構成され得る。
【００１８】
この構成によれば、オペレータは、不確定な在高を示す情報によって、不確定な在高の大きさを直ちに把握でき、さらに、不確定な在高の内容から、何れの貨幣収容部において在高が不確定となり得る事象が生じたかについての見当を付けることができる。これにより、オペレータは、精査処理に基づく対応を的確かつ円滑に進めることができる。
【００１９】
本態様に係る貨幣処理装置において、前記制御部は、前記精査処理の際に、確定している在高を示す情報を表示部に表示させるよう構成され得る。
【００２０】
この構成によれば、オペレータは、確定している在高を示す情報によって、何れの貨幣収容部において在高が確定しているかの見当を付けることができる。これにより、オペレータは、精査処理に基づく対応を的確かつ円滑に進めることができる。
【００２１】
本態様に係る貨幣処理装置において、前記制御部は、前記事象が生じている場合、前記精査処理の際に、不確定な在高を示す情報を通信部から外部装置に送信させるよう構成され得る。
【００２２】
この構成によれば、管理者等が外部装置において不確定な在高を示す情報を確認することができ、さらに、その在高によって、何れの貨幣収容部において在高が不確定となり得る事象が生じたかの見当を付けることができる。これにより、管理者等は、精査処理に基づく対応を的確かつ円滑に進めることができる。
【００２３】
本態様に係る貨幣処理装置において、前記制御部は、通信部を介して他の貨幣処理装置に在高に関連し得る不具合が生じたことの通知を受けた場合、前記条件に拘わらず、前記精査処理において前記通常精査処理を実行するよう構成され得る。
【００２４】
同一施設内に複数の貨幣処理装置が設置されている場合、一の貨幣処理装置にエラー等の不具合が生じると、他の貨幣処理装置においても同様の不具合が生じている可能性がある。この場合、この不具合によって、貨幣処理装置における在高情報が不正確になっていることも想定され得る。上記構成によれば、他の貨幣処理装置において在高に関連し得る不具合が生じたことの通知を受けた場合に、設定された条件に拘わらず、精査処理において通常精査処理が実行されるため、上記のような場合であっても、貨幣収容部に収容されている通貨の在高を正確に管理できる。
【００２５】
本発明の第２の態様は、貨幣収容部を備えた貨幣処理装置と、前記貨幣処理装置に接続された管理装置と備える貨幣処理システムに関する。本態様に係る貨幣処理システムは、制御部と、記憶部と、を備え、前記記憶部は、前記貨幣収容部に収容されている貨幣の在高が不確定となり得る事象が生じていない場合には前記貨幣収容部に対する貨幣の計数を行わないクイック精査処理と、前記事象の有無に拘わらず前記貨幣収容部に対する貨幣の計数を行う通常精査処理との何れの精査処理を行うかについて設定された条件を記憶し、前記制御部は、前記記憶部に記憶された前記条件に基づいて、前記クイック精査処理と前記通常精査処理の何れか一方を実行する。
【００２６】
本態様に係る貨幣処理装置によれば、上記第１の態様と同様の効果が奏され得る。
【発明の効果】
【００２７】
以上のとおり、本発明によれば、ユーザが所望する態様で、精査処理の内容を切り替えることが可能な貨幣処理装置および貨幣処理システムを提供することができる。
【００２８】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２９】
【図１】図１は、実施形態に係る貨幣入出金機の構成を示す斜視図である。
【図２】図２は、実施形態に係る紙幣入出金ユニットの構成を示す図である。
【図３】図３は、実施形態に係る硬貨入出金ユニットの構成を示す図である。
【図４】図４は、実施形態に係る貨幣入出金機の構成を示すブロック図である。
【図５】図５は、実施形態に係る貨幣入出金機の構成を示すブロック図である。
【図６】図６（ａ）〜（ｄ）は、実施形態に係る紙幣入出金ユニットにおける通常精査処理時の紙幣の流れを模式的に示す図である。
【図７】図７（ａ）〜（ｆ）は、実施形態に係る硬貨入出金ユニットにおける通常精査処理時の硬貨の流れを模式的に示す図である。
【図８】図８（ａ）〜（ｄ）は、実施形態に係る、通常精査処理が行われる場合の画面の遷移を示す図である。
【図９】図９（ａ）、（ｂ）は、実施形態に係る、通常精査処理が行われる場合の画面を示す図である。
【図１０】図１０（ａ）〜（ｄ）は、実施形態に係る、クイック精査処理が行われる場合の画面の遷移を示す図である。
【図１１】図１１（ａ）、（ｂ）は、実施形態に係る、クイック精査処理が行われる場合の画面を示す図である。
【図１２】図１２（ａ）は、実施形態に係る精査処理における画面の表示処理を示すフローチャートである。図１２（ｂ）は、実施形態に係る精査処理を示すフローチャートである。
【図１３】図１３は、実施形態に係るクイック精査処理を示すフローチャートである。
【図１４】図１４（ａ）は、実施形態に係る通常精査処理を示すフローチャートである。図１４（ｂ）は、実施形態に係る、上位端末から精査指示があった場合の処理を示すフローチャートである。
【図１５】図１５（ａ）は、変更例に係る、上位端末から精査指示があった場合の処理を示すフローチャートである。図１５（ｂ）は、変更例に係る精査処理を示すフローチャートである。
【図１６】図１６は、変更例に係る貨幣処理システムの構成を示すブロック図である。
【図１７】図１７（ａ）〜（ｄ）は、他の変更例に係る、設定条件によってクイック精査処理が行われる場合の画面を示す図である。
【図１８】図１８（ａ）〜（ｄ）は、さらに他の変更例に係る、クイック精査処理と通常精査処理とを切り替えるための条件を設定する画面を示す図である。
【発明を実施するための形態】
【００３０】
以下、本発明の実施形態について図面を参照して説明する。本実施形態では、貨幣を計数する機能と、貨幣を入金および出金する機能とを備えた貨幣入出金機が、貨幣処理装置の一例として示されている。なお、各図には、適宜、貨幣入出金機の上下、左右および前後を示す矢印が付されている。
【００３１】
図１は、貨幣入出金機１の構成を示す斜視図である。
【００３２】
貨幣入出金機１は、銀行等の金融機関における窓口カウンタの内側で窓口業務を行う２人のテラー（窓口係）の間に設置される。貨幣入出金機１は、各テラーによって操作される上位端末２に通信ケーブル３を介して接続されている。
【００３３】
貨幣入出金機１は、外郭を構成する外装体１０内に、紙幣入出金ユニット１１と硬貨入出金ユニット１２とを備える。紙幣入出金ユニット１１は、外装体１０内の下側に設けられ、紙幣の入金処理、出金処理等を行う。硬貨入出金ユニット１２は、外装体１０内の上側に設けられ、硬貨の入金処理、出金処理等を行う。
【００３４】
図１に示すように、外装体１０は、左右方向の横幅よりも前後方向の奥行が長く、上下方向の高さが左右方向の横幅よりも高いほぼ直方体形状を有する。外装体１０は、本体１０ａと、本体１０ａの前上部に設けられた外装カバー１０ｂと、本体１０ａの前面に設けられた扉１０ｃとを備える。たとえば、外装カバー１０ｂは樹脂材料で形成され、本体１０ａおよび扉１０ｃは金属材料で形成される。
【００３５】
外装カバー１０ｂは、上方に回動可能に本体１０ａに支持されている。外装カバー１０ｂが上方に回動されることにより、硬貨入出金ユニット１２を引き出して、硬貨入出金ユニット１２に設置された硬貨スタッカ２０２（図３参照）等にアクセスすることが可能となる。
【００３６】
外装カバー１０ｂには、上面に硬貨入金口１３が形成され、前面に紙幣出金口１４が形成され、上面から前面にかけて湾曲する湾曲面に紙幣入金口１５が形成される。これら硬貨入金口１３、紙幣出金口１４および紙幣入金口１５は、それぞれ、シャッター１３ａ、１４ａ、１５ａにより開閉される。
【００３７】
また、外装カバー１０ｂの下部の左右方向の両端には、それぞれ、硬貨出金ボックス１６ａ、１６ｂが設置され、さらに、硬貨出金ボックス１６ａ、１６ｂの間にリジェクトボックス１７が配置されている。硬貨出金ボックス１６ａ、１６ｂは、前方へ引き出して取り外すことができる。２つの硬貨出金ボックス１６ａ、１６ｂは、互いに同じ形状（左右対称）で、且つ、同等の容量を有している。リジェクトボックス１７は、前方へ引き出すことができる。リジェクトボックス１７は、リジェクト紙幣を収容するためのものである。
【００３８】
外装カバー１０ｂの後部には、操作表示部１８が設けられている。操作表示部１８は、前方斜め上方を向くように外装カバー１０ｂに固定されている。操作表示部１８は、ディスプレイとタッチセンサとからなるタッチパネルで構成される。操作表示部１８は、ディスプレイに各種の画像（画面）を表示するとともに、ディスプレイに対するユーザのタッチ操作をタッチセンサにより検出する。
【００３９】
外装カバー１０ｂの上面における硬貨入金口１３の両側の領域には、４つの占有キー１９が設けられている。４つの占有キー１９は、それぞれ、左側および右側のテラーが貨幣入出金機１の紙幣に係る取引処理の占有を指示するために操作される占有キー１９ａ、１９ｂと、それぞれ、左側および右側のテラーが貨幣入出金機１の硬貨に係る取引処理の占有を指示するために操作される占有キー１９ｃ、１９ｄとからなっている。
【００４０】
図２は、紙幣入出金ユニット１１の構成を模式的に示す図である。
【００４１】
紙幣入出金ユニット１１は、入金部１１０と、出金部１２０と、リジェクト部１３０と、搬送部１４０と、識別部１５０と、紙幣揃え部１６０と、２つの紙幣カセット１７０と、紙幣カセット１７０用の２つの一時保留部１７１と、３つの紙幣スタッカ１８０と、紙幣スタッカ１８０用の３つの一時保留部１８１と、を備える。
【００４２】
入金部１１０、出金部１２０およびリジェクト部１３０は、外装体１０内の上部の正面近傍に設けられる。入金部１１０は紙幣入金口１５に繋がり、紙幣入金口１５を通じて入金部１１０にバラ状態の紙幣が投入される。出金部１２０は紙幣出金口１４に繋がり、紙幣出金口１４を通じて出金部１２０からバラ状態の紙幣が取り出される。リジェクト部１３０は、上述のリジェクトボックス１７を備え、リジェクトボックス１７にリジェクト紙幣を収容する。
【００４３】
入金部１１０は、入金繰出機構１１１を備える。入金繰出機構１１１は、入金部１１０に投入された紙幣を一枚ずつ搬送部１４０へ繰り出す。出金部１２０は、主に、紙幣スタッカ１８０から繰り出された紙幣を受け取る。リジェクト部１３０は、主に、識別部１５０により属性（真偽、金種等）が識別できず、正常な紙幣と見做されない紙幣を受け取る。
【００４４】
搬送部１４０は、ベルト機構、ローラー機構等により構成され、メイン搬送路１４１と、入金搬送路１４２と、出金搬送路１４３と、リジェクト搬送路１４４と、２つのカセット搬送路１４５と、３つのスタッカ搬送路１４６とを含む。メイン搬送路１４１は、外装体１０内を前後方向に延びるようにループ状に形成され、図２において、時計回り方向と反時計回り方向に紙幣を搬送することが可能である。
【００４５】
入金搬送路１４２は、入金部１１０とメイン搬送路１４１との間に設けられる。出金搬送路１４３は、出金部１２０とメイン搬送路１４１との間に設けられる。リジェクト搬送路１４４は、リジェクト部１３０とメイン搬送路１４１との間に設けられる。カセット搬送路１４５は、紙幣カセット１７０および一時保留部１７１とメイン搬送路１４１との間に設けられる。スタッカ搬送路１４６は、紙幣スタッカ１８０および一時保留部１８１とメイン搬送路１４１との間に設けられる。
【００４６】
識別部１５０は、メイン搬送路１４１の上側のループの後部に設けられる。識別部１５０は、搬送部１４０を流れる紙幣の属性を識別し、識別結果を後述する制御部に出力する。識別される属性には、紙幣の真偽、金種、紙幣の表裏の向きなどが含まれる。また、識別部１５０は紙幣を計数し、計数結果を後述する制御部に出力する。
【００４７】
紙幣揃え部１６０は、搬送部１４０を流れる紙幣の表裏の向きを揃えるために設けられる。紙幣揃え部１６０は、識別部１５０の前方、すなわち、識別部１５０よりも出金時の紙幣の流れの下流側に配置される。紙幣揃え部１６０は、メイン搬送路１４１の一部を構成する反転部１６１および非反転部１６２を含む。
【００４８】
反転部１６１は、スイッチバック方式により紙幣を表裏反転させる反転機構を含む。反転部１６１を通過した紙幣は、紙幣の短手方向、すなわち天地方向に沿って表裏反転し、表裏および天地の向きが入れ替わる。非反転部１６２は、反転部１６１とほぼ同じ経路長を有し、紙幣を現状の向きのまま通過させる。たとえば、識別部１５０での識別の結果、表向きと識別された紙幣が非反転部１６２を通過し、裏向きと識別された紙幣が反転部１６１を通過することにより、紙幣の向きが表向きに揃えられる。
【００４９】
２つの紙幣カセット１７０と３つの紙幣スタッカ１８０は、外装体１０内において、搬送部１４０の下方に、前後に並ぶように設けられる。２つの紙幣カセット１７０が３つの紙幣スタッカ１８０の前方に設けられる。紙幣カセット１７０および紙幣スタッカ１８０は、前方に引き出し可能な支持ユニット１９０に支持され、扉１０ｃを開放することにより、外装体１０内に対して出し入れすることができる。
【００５０】
紙幣カセット１７０は、主に、紙幣スタッカ１８０から回収された紙幣や紙幣スタッカ１８０へ補充される紙幣を収納するために利用される。また、紙幣カセット１７０は、紙幣スタッカ１８０内の紙幣の自動精査を行う自動精査処理の際、紙幣を一時的に収納するために利用される。一方の紙幣カセット１７０を、２千円券、旧券、損券等の収納に利用することもできる。紙幣カセット１７０内には、紙幣が上下に積まれるように収納される。収納された紙幣を昇降させるために、紙幣カセット１７０内に昇降ステージ１７０ａが設けられる。
【００５１】
これら紙幣カセット１７０の右側には、さらに、硬貨回収用の硬貨カセット２１３が配置される。この硬貨カセット２１３も、上述の支持ユニット１９０に支持され、前方に引き出し可能である。硬貨回収の際に、硬貨入出金ユニット１２から硬貨カセット２１３に硬貨が投入される。この他、硬貨カセット２１３は、損貨や硬貨スタッカ２０２をオーバーフローした硬貨の収容にも用いられる。
【００５２】
なお、支持ユニット１９０を前方に引き出した状態において、オペレータ（テラー以外の操作者を含む）は、紙幣カセット１７０および紙幣スタッカ１８０内の紙幣に触れることができるが、硬貨カセット２１３内の硬貨には触れることはできない。オペレータは、支持ユニット１９０を前方に引き出した後、さらに硬貨カセット２１３を支持ユニット１９０から取り外すことによって、硬貨カセット２１３内の硬貨に触れることができる。
【００５３】
紙幣カセット１７０用の一時保留部１７１は、対応する紙幣カセット１７０の上方に配置される。一時保留部１７１は、紙幣カセット１７０に収納される紙幣を一時的に保留（収納）する。一時保留部１７１の出入口側には繰出機構（図示せず）が設けられ、紙幣カセット１７０内の紙幣を、一時保留部１７１を通じてカセット搬送路１４５に繰り出すことができる。
【００５４】
紙幣スタッカ１８０は、入金された紙幣を金種別に収納するために利用される。たとえば、３つの紙幣スタッカ１８０のそれぞれに対し、一万円、千円および５千円の金種が割り当てられ得る。紙幣スタッカ１８０内には、紙幣が上下に積まれるように収納される。収納された紙幣を昇降するため、紙幣スタッカ１８０内に昇降ステージ１８０ａが設けられる。
【００５５】
紙幣スタッカ１８０用の一時保留部１８１は、対応する紙幣スタッカ１８０の上方に配置される。一時保留部１８１は、紙幣スタッカ１８０に収納される紙幣を一時的に保留（収納）する。一時保留部１８１の出入口側には繰出機構（図示せず）が設けられ、紙幣スタッカ１８０内の紙幣を、一時保留部１８１を通じてスタッカ搬送路１４６に繰り出すことができる。
【００５６】
紙幣の入金処理の際には、紙幣入金口１５を通じて入金部１１０に投入された紙幣が、搬送部１４０により搬送されるとともに識別部１５０で識別され、正常と識別された紙幣が、金種毎に、対応する一時保留部１８１に一時的に保留される。そして、確定操作がなされると一時保留部１８１内の紙幣が対応する紙幣スタッカ１８０内に収納される。なお、正常でないと識別された紙幣は、リジェクト部１３０に戻される。
【００５７】
また、紙幣の出金処理の際には、出金操作により指定された金額の紙幣が、紙幣スタッカ１８０内から繰り出されて搬送部１４０により搬送され、その途中で、紙幣揃え部１６０により表裏の向きが揃えられて出金部１２０に払い出される。出金部１２０の紙幣は、紙幣出金口１４を通じて取り出される。
【００５８】
図３は、貨幣入出金機１に搭載された硬貨入出金ユニット１２を上方から見た構成を模式的に示す図である。
【００５９】
硬貨入出金ユニット１２は、硬貨受け入れ部２０１と、６つの硬貨スタッカ２０２と、一括保留部２０３と、を備える。
【００６０】
硬貨受け入れ部２０１は、硬貨入金口１３の下方に配置され、硬貨入金口１３に投入された硬貨を受け入れる。硬貨入金口１３に投入された硬貨は、硬貨受け入れ部２０１に落下する。６つの硬貨スタッカ２０２は、それぞれ、金種ごとに硬貨を収納する。たとえば、６つの硬貨スタッカ２０２は、硬貨入出金ユニット１２の前側から順番に、１円硬貨、５円硬貨、１０円硬貨、５０円硬貨、１００円硬貨、５００円硬貨を収納する。一括保留部２０３は、入出金処理や精査処理、硬貨スタッカ２０２に収納された硬貨を回収する処理等において、硬貨を一時的に収納するためのものである。
【００６１】
さらに、硬貨入出金ユニット１２は、硬貨受け入れ部２０１に対応づけられた硬貨繰出機構２０４と、６つの硬貨スタッカ２０２にそれぞれ対応づけられた硬貨繰出機構２０５と、一括保留部２０３に対応づけられた硬貨繰出機構２０６と、搬送部２０７と、識別部２０８と、を備えている。
【００６２】
硬貨繰出機構２０４は、硬貨受け入れ部２０１に受け入れられた硬貨を、１枚ずつ搬送部２０７に繰り出す。６つの硬貨繰出機構２０５は、それぞれ、対応する硬貨スタッカ２０２に収納されている硬貨を、１枚ずつ搬送部２０７に繰り出す。硬貨繰出機構２０６は、一括保留部２０３に収納されている硬貨を、１枚ずつ搬送部２０７に繰り出す。
【００６３】
搬送部２０７は、時計回りの方向に循環移動を行う循環ベルト２０７ａを備えている。この循環ベルト２０７ａには、複数の突起部分（図示せず）が等間隔で設けられている。循環ベルト２０７ａに設けられた各突起部分に硬貨が引っかかることにより、循環ベルト２０７ａの循環移動に伴って、硬貨が１枚ずつ搬送される。こうして、上記各繰出機構により繰り出された硬貨が、循環ベルト２０７ａの循環経路に沿って搬送される。
【００６４】
識別部２０８は、硬貨の搬送経路上に設けられ、搬送部２０７によって１枚ずつ搬送される硬貨の金種および真偽等を識別する。識別部２０８における硬貨の識別情報は、後述する制御部３１に送信される。
【００６５】
さらに、硬貨入出金ユニット１２は、一括保留部２０３に対応づけられた分岐機構２０９と、６つの硬貨スタッカ２０２にそれぞれ対応づけられた分岐機構２１０と、硬貨入金口１３に対応づけられた分岐機構２１１と、硬貨出金ボックス１６ａに対応付けられた分岐機構２１２と、を備えている。
【００６６】
分岐機構２０９は、搬送部２０７によって搬送される硬貨を選択的に搬送部２０７から分岐させて一括保留部２０３に送る。６つの分岐機構２１０は、それぞれ、搬送部２０７によって搬送される硬貨を選択的に搬送部２０７から分岐させて、対応する硬貨スタッカ２０２に送る。分岐機構２１１は、搬送部２０７により搬送される硬貨を選択的に搬送部２０７から分岐させて、硬貨を硬貨入金口１３（硬貨受け入れ部２０１）に移送する移送部（図示せず）に送る。分岐機構２１２は、搬送部２０７により搬送される硬貨を選択的に搬送部２０７から分岐させて、硬貨を硬貨出金ボックス１６ａと硬貨カセット２１３に振り分ける振分機構（図示せず）に送る。分岐機構２１２で分岐されなかった硬貨は、全て、搬送部２０７によって硬貨出金ボックス１６ｂに送られる。
【００６７】
貨幣入出金機１の左右両側にいるテラーは、貨幣入出金機１を使用して入金処理、出金処理の他、貨幣入出金機１に投入された紙幣および硬貨を計数する計数処理や、貨幣入出金機１に収容されている貨幣を計数して金種ごとに在高を確認する精査処理などの処理を行うことができる。本実施形態では、精査処理として、クイック精査処理と通常精査処理を行うことができる。
【００６８】
ここで、クイック精査処理とは、貨幣収容部（紙幣スタッカ１８０、紙幣カセット１７０、硬貨スタッカ２０２および硬貨カセット２１３）に収容されている貨幣の在高が不確定となり得る事象が生じていない場合には、貨幣収容部に対する貨幣の計数を行わない精査処理のことである。また、通常精査処理とは、貨幣の在高が不確定となり得る事象の有無に拘わらず貨幣収容部（紙幣スタッカ１８０、紙幣カセット１７０、硬貨スタッカ２０２および硬貨カセット２１３）に対する貨幣の計数を行う精査処理のことである。
【００６９】
本実施形態では、クイック精査処理と通常精査処理の何れを行うかの条件が、貨幣入出金機１の記憶部に設定され、この条件に従って、実行されるべき精査処理が切り替えられる。クイック精査処理と通常精査処理の何れを行うかの条件および当該条件に基づく精査処理の流れについては、追って詳述する。
【００７０】
図４および図５は、貨幣入出金機１の構成を示すブロック図である。図４には、紙幣入出金ユニット１１に関する主要な構成が示されており、図５には、硬貨入出金ユニット１２に関する主要な構成が示されている。
【００７１】
図４および図５に示すように、貨幣入出金機１は、上述の紙幣入出金ユニット１１、硬貨入出金ユニット１２、操作表示部１８および占有キー１９の他に、制御部３１、記憶部３２、通信部３３および音声出力部３４を備えている。
【００７２】
制御部３１は、ＣＰＵ（Central Processing Unit）等の演算回路を備え、記憶部３２に記憶された動作プログラムに従って各部を制御する。記憶部３２は、ＲＯＭ（Read Only Memory）、ＲＡＭ（Random Access Memory）やハードディスク等の記憶媒体を備え、制御部３１の動作プログラムを記憶し、また、制御部３１の制御処理の際にワーク領域として利用される。通信部３３は、上位端末２との間で通信を行う。音声出力部３４は、スピーカを備え、制御部３１からの制御に従って、所定の音声を出力する。
【００７３】
さて、上記構成を備えた貨幣入出金機１では、入金や出金等の取引処理が行われることに応じて取引ログが記憶部３２に記憶され、貨幣入出金機１内の保有在高が管理される。金融機関では、記憶部３２に記憶されている在高情報と、実際に貨幣入出金機１に保有されている貨幣の在高とが一致することを確認するための精査処理が、業務終了時等の所定のタイミングで行われる。上記のように、本実施形態では、この精査処理として、クイック精査処理と通常精査処理の２種類の精査処理が選択的に行われる。
【００７４】
図６（ａ）〜（ｄ）は、紙幣入出金ユニット１１における通常精査処理時の紙幣の流れを模式的に示す図である。図６（ａ）〜（ｄ）において、点線は正常な紙幣の流れを示し、破線はリジェクト紙幣の流れを示している。
【００７５】
まず、図６（ａ）に示すように、３つの紙幣スタッカ１８０のうち１つから紙幣が繰り出され、繰り出された紙幣が紙幣カセット１７０に送られる。図６（ａ）では、左端の紙幣スタッカ１８０の紙幣が、左側の紙幣カセット１７０に送られる。こうして、１つの紙幣スタッカ１８０に収容されている全ての紙幣が所定の紙幣カセット１７０に送られる。なお、紙幣スタッカ１８０から紙幣カセット１７０に紙幣が送られる過程では、識別部１５０による紙幣の識別および計数は行われない。
【００７６】
次に、図６（ｂ）に示すように、紙幣カセット１７０から１枚ずつ紙幣が繰り出されて識別部１５０に送られる。ここでは、識別部１５０による紙幣の識別および計数が行われる。紙幣は、識別部１５０による識別結果に応じて、対応する紙幣スタッカ１８０またはリジェクト部１３０に送られる。すなわち、正常な紙幣は、対応する紙幣スタッカ１８０に送られ、識別不能なリジェクト紙幣は、リジェクト部１３０に送られる。こうして、１つの紙幣スタッカ１８０に対する紙幣の計数が完了する。
【００７７】
残り２つの紙幣スタッカ１８０に対しても、図６（ａ）、（ｂ）と同様の処理が行われる。これにより、残り２つの紙幣スタッカ１８０に対する紙幣の計数が実行される。こうして、全ての紙幣スタッカ１８０に対する紙幣の計数が完了すると、次に、上記処理によりリジェクトボックス１７に送られたリジェクト紙幣を、対応する紙幣スタッカ１８０に戻す操作が行われる。オペレータは、リジェクトボックス１７からリジェクト紙幣を抜き取って、入金部１１０に投入する。
【００７８】
これにより、図６（ｃ）に示すように、入金部１１０から１枚ずつ紙幣が繰り出されて識別部１５０に送られる。その後、紙幣は、識別部１５０による識別結果に応じて、対応する紙幣スタッカ１８０の一時保留部１８１またはリジェクト部１３０に送られる。再度、リジェクト部１３０にリジェクト紙幣が送られた場合、オペレータは、適宜、リジェクト紙幣を対応する金種の正常な紙幣に取り替えて、入金部１１０に投入する。
【００７９】
こうして、図６（ｃ）の操作が繰り返されて、全ての紙幣が、対応する紙幣スタッカ１８０の一時保留部１８１に収容されると、オペレータは、操作表示部１８に対して、確定操作を行う。これにより、図６（ｄ）に示すように、一時保留部１８１に収容された紙幣が、対応する紙幣スタッカ１８０に収容される。これにより、紙幣入出金ユニット１１に対する通常精査処理が完了する。
【００８０】
なお、右側の紙幣カセット１７０に旧貨や損券等の紙幣が収容されている場合は、図６（ｃ）、（ｄ）の処理の前に、図６（ａ）、（ｂ）と同様の処理が右側の紙幣カセット１７０に対して実行される。
【００８１】
図７（ａ）〜（ｆ）は、硬貨入出金ユニット１２における通常精査処理時の硬貨の流れを模式的に示す図である。図７（ａ）〜（ｆ）において、点線は正常な硬貨の流れを示し、破線はリジェクト硬貨の流れを示している。ここでは、右側の硬貨出金ボックス１６ａにリジェクト硬貨が搬出される。
【００８２】
まず、図７（ａ）に示すように、６つの硬貨スタッカ２０２のうち１つから硬貨が繰り出され、繰り出された硬貨が一括保留部２０３に送られる。図７（ａ）では、左端の硬貨スタッカ２０２の硬貨が、一括保留部２０３に送られる。こうして、１つの硬貨スタッカ２０２に収容されている全ての硬貨が一括保留部２０３に送られる。なお、硬貨スタッカ２０２から一括保留部２０３に硬貨が送られる過程では、識別部２０８による硬貨の識別および計数は行われない。
【００８３】
次に、図７（ｂ）に示すように、一括保留部２０３から１枚ずつ硬貨が繰り出されて識別部２０８に送られる。ここでは、識別部２０８による硬貨の識別および計数が行われる。硬貨は、識別部１５０による識別結果に応じて、対応する硬貨スタッカ２０２または硬貨出金ボックス１６ａに送られる。すなわち、正常な硬貨は、対応する硬貨スタッカ２０２に送られ、識別不能なリジェクト硬貨は、硬貨出金ボックス１６ａに送られる。こうして、１つの硬貨スタッカ２０２に対する硬貨の計数が完了する。
【００８４】
残り５つの硬貨スタッカ２０２に対しても、図７（ａ）、（ｂ）と同様の処理が行われる。これにより、残り５つの硬貨スタッカ２０２に対する硬貨の計数が実行される。こうして、全ての硬貨スタッカ２０２に対する硬貨の計数が完了すると、次に、硬貨カセット２１３に対する硬貨の計数が行われる。ここでは、硬貨カセット２１３から硬貨が抜き取られて、抜き取られた硬貨が、硬貨入金口１３を介して硬貨受け入れ部２０１に投入される。
【００８５】
これにより、図７（ｃ）に示すように、硬貨受け入れ部２０１から硬貨が繰り出され、繰り出された硬貨が一括保留部２０３に送られる。その後、図７（ｄ）に示すように、一括保留部２０３から１枚ずつ硬貨が繰り出されて識別部２０８に送られる。これにより、識別部２０８による硬貨の識別および計数が行われる。硬貨は、識別部２０８による識別結果に応じて、硬貨カセット２１３または硬貨出金ボックス１６ａに送られる。すなわち、正常な硬貨は、硬貨カセット２１３に送られ、識別不能なリジェクト硬貨は、硬貨出金ボックス１６ａに送られる。こうして、硬貨カセット２１３に対する硬貨の計数が完了する。
【００８６】
次いで、上記処理により硬貨出金ボックス１６ａに送られたリジェクト硬貨を、対応する硬貨スタッカ２０２または硬貨カセット２１３に戻す操作が行われる。ここでは、硬貨出金ボックス１６ａからリジェクト硬貨が抜き取られて、硬貨受け入れ部２０１に投入される。これにより、図７（ｅ）に示すように、投入された全ての硬貨が一括保留部２０３に送られる。
【００８７】
その後、図７（ｆ）に示すように、一括保留部２０３から１枚ずつ硬貨が繰り出されて識別部２０８に送られる。このとき、識別部２０８による硬貨の識別および計数が行われる。硬貨は、識別部１５０による識別結果に応じて、対応する硬貨スタッカ２０２または硬貨カセット２１３に送られる。リジェクト硬貨があれば、硬貨出金ボックス１６ａに送られて、オペレータにより同様の操作が繰り返される。こうして、硬貨入出金ユニット１２に対する通常精査処理が完了する。
【００８８】
以上のように、通常精査処理では、紙幣入出金ユニット１１の全ての貨幣収容部（紙幣スタッカ１８０、紙幣カセット１７０）に対して紙幣の計数が行われ、また、硬貨入出金ユニット１２の全ての貨幣収容部（硬貨スタッカ２０２、硬貨カセット２１３）に対して硬貨の計数が行われる。すなわち、通常精査処理は、より精緻に貨幣の精査を行う場合の精査処理である。
【００８９】
これに対し、クイック精査処理では、貨幣収容部のうち、貨幣の在高が不確定となり得る所定の事象が生じていない貨幣収容部に対しては貨幣の計数が行われず、貨幣の在高が不確定となり得る所定の事象が生じている貨幣収容部に対してのみ貨幣の計数が行われる。すなわち、クイック精査処理は、より簡易かつ効率的に貨幣の精査を行う場合の精査処理である。クイック精査処理では、図６（ａ）〜（ｄ）および図７（ａ）〜（ｆ）の処理が、貨幣の在高が不確定となり得る所定の事象が生じている貨幣収容部に対してのみ実行される。
【００９０】
ここで、「在高が不確定」とは、各貨幣収容部に収容されている実際の在高が、取引ログにより管理されている在高と一致すると確定できない場合のことをいう。したがって、貨幣の在高が不確定となり得る所定の事象としては、たとえば、貨幣収容部から通貨が不適切に抜き取られた可能性がある事象や、取引ログの在高情報が適正に更新されなかった可能性がある事象等が挙げられ得る。本実施形態では、貨幣の在高が不確定となり得る所定の事象として、たとえば、以下の事象が挙げられ得る。ただし、貨幣の在高が不確定となり得る事象は、必ずしも以下に限られるものではない。
【００９１】
＜紙幣入出金ユニット１１の貨幣収容部の在高＞
（１）紙幣入出金ユニット１１が異常状態になったこと。
（２）扉１０ｃが開けられ支持ユニット１９０が引き出されたこと。
（３）紙幣カセット１７０が抜き取られたこと。
（４）リジェクトボックス１７が抜き取られたこと。
（５）電源オフ時に扉１０ｃが開けられたこと。
【００９２】
＜硬貨スタッカ２０２の在高＞
（６）硬貨入出金ユニット１２が異常状態になったこと。
（７）外装カバー１０ｂが開けられ硬貨入出金ユニット１２が引き出されたこと。
（８）電源オフ時に外装カバー１０ｂが開けられたこと。
【００９３】
＜硬貨カセット２１３の在高＞
（９）硬貨入出金ユニット１２が異常状態になったこと。
（１０）硬貨カセット２１３が抜き取られたこと。
（１１）電源オフ時に外装カバー１０ｂが開けられたこと。
【００９４】
なお、上記において「異常状態」とは、紙幣または硬貨の繰出しが不良である状態や、紙幣スタッカ１８０および硬貨スタッカ２０２に対する紙幣および硬貨の集積に異常が生じた状態、紙幣入出金ユニット１１および硬貨入金ユニット１２における通信が遮断された状態等が挙げられ得る。
【００９５】
これらの事象は、図４および図５に示した記憶部３２に記憶され、クイック精査処理において参照される。制御部３１は、クイック精査処理において、貨幣入出金機１に上記事象が生じているか否かによって、該当する貨幣収容部の在高が確定されるか不確定であるかを判定し、判定結果に応じて当該貨幣収容部に対して計数を行うか否かを決定する。
【００９６】
たとえば、クイック精査処理の実行時に、上記（１）〜（５）の事象の全てが生じていない場合、制御部３１は、紙幣入出金ユニット１１の貨幣収容部（紙幣スタッカ１８０、紙幣カセット１７０）の在高が確定したと判定して、当該貨幣収容部（紙幣スタッカ１８０、紙幣カセット１７０）に対する紙幣の計数を行わない。また、クイック精査処理の実行時に、上記（６）〜（８）の事象の全てが生じていない場合、制御部３１は、６つの硬貨スタッカ２０２の在高が確定したと判定して、これら６つの硬貨スタッカ２０２に対する硬貨の計数を行わない。さらに、クイック精査処理の実行時に、上記（９）〜（１１）の事象の全てが生じていない場合、制御部３１は、硬貨カセット２１３の在高が確定したと判定して、硬貨カセット２１３に対する硬貨の計数を行わない。
【００９７】
本実施形態では、上述の通常精査処理とクイック精査処理の何れを実行するかの条件を、オペレータが任意に設定可能となっている。本実施形態では、この条件が、カレンダーの曜日により設定される。設定された条件は、随時、記憶部３２に記憶される。制御部３１は、記憶部３２に記憶された条件に基づいて、クイック精査処理と通常精査処理の何れか一方を実行する。
【００９８】
以下、貨幣入出金機１における精査処理について、図８（ａ）〜図１４（ｂ）を参照して説明する。
【００９９】
図８（ａ）〜図９（ｂ）は、通常精査処理が行われる場合の画面の遷移を示す図である。図８（ａ）〜図９（ｂ）の画面は、精査処理を行う日がクイック精査処理を行う曜日に該当しない場合に表示される。これらの画面は、図１の操作表示部１８に表示される。
【０１００】
待機画面において管理メニューを表示させる操作が行われると、図８（ａ）の画面Ｄ１１が表示される。この画面Ｄ１１には、管理メニューの画面であることを示すタイトルＴ１１と、メニューの選択を促すメッセージＭ１１と、自動精査を行うための選択項目Ｓ１１と、各種設定を行うための選択項目Ｓ１２と、画面Ｄ１１を閉じるためのボタンＢ１１と、選択項目をスクロールさせるためのボタンＢ１２とが含まれている。ここでは、当日が通常精査処理が行われる曜日であるため、選択項目Ｓ１１の標記は、通常精査処理を示す「自動精査」となっている。
【０１０１】
画面Ｄ１１において、オペレータが選択項目Ｓ１２にタッチすると、設定内容を選択するための選択画面（図示せず）が表示される。この選択画面において、オペレータが、精査処理の切り替え条件を設定するための選択項目にタッチすると、図８（ｂ）の画面Ｄ１２が表示される。
【０１０２】
画面Ｄ１２には、クイック精査処理を実行する曜日を設定するための画面であることを示すタイトルＴ１２と、画面を戻すためのボタンＢ１３と、クイック精査処理を行う曜日を選択するためのボタンＢ１４と、曜日の選択設定が完了した場合にタッチされるボタンＢ１５と、ボタンＢ１４の標記を説明するためのメッセージＭ１２が含まれている。
【０１０３】
ユーザは、ボタンＢ１４に表示された所望の曜日にタッチすることにより、クイック精査処理の実行日を指定できる。ユーザは、一旦指定した曜日に再度タッチすることにより、当該曜日の指定を解除できる。ここでは、火曜日、水曜日および木曜日がクイック精査処理を行う曜日として選択されている。オペレータが所望の曜日を選択した後にボタンＢ１５にタッチすると、選択された曜日がクイック精査処理を行う曜日として記憶部３２に記憶される。
【０１０４】
図８（ａ）に示した画面Ｄ１１において、オペレータが選択項目Ｓ１１にタッチすると、図８（ｃ）の画面Ｄ１３が表示される。
【０１０５】
画面Ｄ１３には、通常精査処理を実行するための画面であることを示すタイトルＴ１３と、画面を戻すためのボタンＢ１６と、通常精査処理を実行するためのボタンＢ１７と、精査処理の対象となるユニットを選択するためのチェックボックスＣ１１、Ｃ１２が含まれている。ここでは、精査処理の対象として、紙幣入出金ユニット１１と硬貨入出金ユニット１２の両方が選択されている。この状態で、オペレータがボタンＢ１７にタッチすると、紙幣入出金ユニット１１と硬貨入出金ユニット１２の両方に対して通常精査処理が実行される。ボタンＢ１７がタッチされることにより、図８（ｄ）の画面Ｄ１４が表示される。
【０１０６】
画面Ｄ１４には、通常精査処理に関する画面であることを示すタイトルＴ１４と、貨幣の計数結果を金額で表示させるためのボタンＢ１８と、貨幣の計数結果を枚数で表示させるためのボタンＢ１９と、紙幣の計数結果を金種ごとに表示するための領域Ｒ１１と、硬貨の計数結果を金種ごとに表示するための領域Ｒ１２と、計数された貨幣の合計金額を表示するための領域Ｒ１３が含まれている。ここでは、貨幣の計数結果を金額で表示させるためのボタンＢ１８が選択されている。紙幣入出金ユニット１１および硬貨入出金ユニット１２の計数が進むと、領域Ｒ１１、Ｒ１２の各金種の金額が増加し、これに伴い領域Ｒ１３の合計金額が増加する。
【０１０７】
全ての貨幣について計数が終了すると、図９（ａ）に示すように、画面Ｄ１４の右下に、精査処理が終了したことを示すボタンＢ１８が表示される。このとき、ログ情報に基づく在高と計数結果に基づく在高とが相違すると、図９（ｂ）に示すように、そのことを示すメッセージＭ１３が表示され、さらに領域Ｒ１４に両在高の差額が表示される。オペレータは、画面Ｄ１４を確認した後、ボタンＢ１８にタッチする。これにより、通常精査処理が終了（確定）し、画面が待機画面に復帰する。
【０１０８】
図１０（ａ）〜図１１（ｂ）は、クイック精査処理が行われる場合の画面の遷移を示す図である。
【０１０９】
図１０（ａ）〜（ｄ）の各画面は、一部の表記を除いて、図８（ａ）〜（ｄ）の各画面と同様である。クイック精査処理においても、通常精査処理の場合と同様、画面が、図１０（ａ）〜（ｄ）に示す画面Ｄ１１〜Ｄ１４に従って遷移する。
【０１１０】
ただし、クイック精査処理では、図１０（ｃ）、（ｄ）の画面Ｄ１３、Ｄ１４のタイトルが、クイック精査処理であることを示すタイトルＴ２１、Ｔ２２に変更される。また、図１０（ａ）の画面Ｄ１１において、選択項目Ｓ１１の標記がクイック精査処理の標記に変更され、さらに、貨幣の在高が不確定の箇所（貨幣収容部）があること、およびその箇所の不確定金額を示すメッセージＭ２１が含まれる。
【０１１１】
ここで、「貨幣の在高が不確定の箇所」とは、上述の事象（１）〜（１１）に基づいて、在高を確定できないと判定された貨幣収容部のことを意味する。また、「不確定金額」は、ログ情報に基づくその箇所の収容金額を示している。オペレータは、メッセージＭ２１を参照することにより、不確定箇所および不確定金額があること、およびクイック精査処理において当該個所に対し貨幣の計数が行われることを把握できる。
【０１１２】
なお、不確定箇所が無い場合は、メッセージＭ２１に代えて、図１１（ａ）に示すメッセージＭ２２が表示される。オペレータは、メッセージＭ２２を参照することにより、不確定箇所および不確定金額が無いこと、およびクイック精査処理においては何れの貨幣収容部に対しても貨幣の計数が行われないことを把握できる。
【０１１３】
また、クイック精査処理では、図１０（ｄ）に示す画面Ｄ１４において、確定金額が領域Ｒ１１または領域Ｒ１２に表示される。図１０（ｄ）の例では、硬貨カセット２１３の在高のみが確定していることが想定されている。領域Ｒ１３には、確定した在高の総額が表示される。画面Ｄ１４は、図１０（ｃ）の画面Ｄ１３のボタンＢ１７がタッチされた後、所定時間だけ表示される。この表示を参照することにより、オペレータは、確定金額を金種ごとに把握でき、さらに、何れの貨幣収容部の金額が確定しているかを概ね把握できる。所定時間が経過すると、貨幣の計数に応じて領域Ｒ１１〜Ｒ１３が増加する。計数が終了した後の画面は、図９（ａ）、（ｂ）に示した画面と同様である。
【０１１４】
クイック精査処理において不確定箇所が無い場合、上記のように、図１１（ａ）に示す管理メニューの画面Ｄ１１が表示される。ここで、オペレータが選択項目Ｓ１１を選択すると、図１０（ｃ）の画面Ｄ１３が表示され、さらに、オペレータが、画面Ｄ１３のチェックボックスＣ１１、Ｃ１２を選択した後、ボタンＢ１７にタッチすると、図１１（ｂ）の画面Ｄ１４が表示される。ここでは、全ての貨幣収容部の金額が確定しているため、領域Ｒ１１、Ｒ１２には、全ての金種に対して確定金額が表示され、その合計値が領域Ｒ１３に表示される。また、この場合は、何れの貨幣収容部に対しても貨幣の計数が行われないため、最初から、精査処理が終了したことを示すボタンＢ１８が画面Ｄ１４に含まれている。オペレータは、画面Ｄ１４の内容を確認した後、ボタンＢ１８にタッチする。これにより、クイック精査処理が終了し、画面が待機画面へと遷移する。
【０１１５】
図１２（ａ）は、精査処理における画面の表示処理を示すフローチャートである。
【０１１６】
制御部３１は、待機画面において管理メニューの選択指示を受け付けたか否かを監視する（Ｓ１０１）。管理メニューの選択指示を受け付けると（Ｓ１０１：ＹＥＳ）、制御部３１は、記憶部３２からログ情報を取得し（Ｓ１０２）、さらに、記憶部３２に保持されたクイック精査処理の設定条件を参照して、当該条件が充足されるか否かを判定する（Ｓ１０３）。具体的には、制御部３１は、当日がクイック精査処理の設定条件である曜日に該当するか否かを判定する。
【０１１７】
当日がクイック精査処理の曜日に該当する場合（Ｓ１０３：ＹＥＳ）、制御部３１は、クイック精査処理用の画面表示処理を実行し（Ｓ１０４）、図１１（ａ）〜図１２（ｂ）に示した画面Ｄ１１〜Ｄ１４に従って、操作表示部１８に表示される画面を遷移させる。他方、当日がクイック精査処理の曜日に該当しない場合（Ｓ１０３：ＮＯ）、制御部３１は、通常精査処理用の画面表示処理を実行し（Ｓ１０５）、図８（ａ）〜図１０（ｂ）に示した画面Ｄ１１〜Ｄ１４に従って、操作表示部１８に表示される画面を遷移させる。
【０１１８】
図１２（ｂ）は、精査処理を示すフローチャートである。
【０１１９】
制御部３１は、管理メニューの画面Ｄ１１において、精査処理の選択指示を受け付けたか否か、すなわち選択項目Ｓ１１がタッチされたか否かを監視する（Ｓ２０１）。精査処理の選択指示を受け付けると（Ｓ２０１：ＹＥＳ）、制御部３１は、クイック精査処理の設定条件が充足されるか否か、具体的には、当日がクイック精査処理の設定条件である曜日に該当するか否かを判定する（Ｓ２０２）。クイック精査処理の設定条件が充足される場合（Ｓ２０２：ＹＥＳ）、制御部３１は、クイック精査処理を実行し（Ｓ２０３）、クイック精査処理の設定条件が充足されない場合（Ｓ２０２：ＮＯ）、制御部３１は、通常精査処理を実行する（Ｓ２０４）。
【０１２０】
図１３は、クイック精査処理（Ｓ２０３）を示すフローチャートである。
【０１２１】
制御部３１は、紙幣入出金ユニット１１と硬貨入出金ユニット１２の何れが精査処理の対象とされたかを判定する（Ｓ３０１）。具体的には、図１０（ｃ）の画面Ｄ１３において、チェックボックスＣ１１、Ｃ１２の一方または両方が選択されたかを判定する。チェックボックスＣ１１のみが選択された場合、制御部３１は、ステップＳ３０８〜Ｓ３１０の処理を行い、チェックボックスＣ１２のみが選択された場合、制御部３１は、ステップＳ３０２〜Ｓ３０７の処理を行う。チェックボックスＣ１１、Ｃ１２の両方が選択された場合、制御部３１は、ステップＳ３０２〜Ｓ３０７の処理とステップＳ３０８〜Ｓ３１０の処理の両方を行う。
【０１２２】
ステップＳ３０２において、制御部３１は、図３に示した６つの硬貨スタッカ２０２の金額が確定しているか否かを判定する（Ｓ３０２）。具体的には、制御部３１は、前回の精査処理の後に、上述の事象（６）〜（８）の何れも生じていない場合に、硬貨スタッカ２０２の金額が確定していると判定する。硬貨スタッカ２０２の金額が確定している場合（Ｓ３０２：ＹＥＳ）、制御部３１は、全ての硬貨スタッカ２０２に対して計数を行うことなく（Ｓ３０３）、処理をステップＳ３０５に進める。他方、硬貨スタッカ２０２の金額が確定していない場合（Ｓ３０２：ＮＯ）、すなわち、前回の精査処理の後に、上述の事象（６）〜（８）の何れかが生じた場合、制御部３１は、全ての硬貨スタッカ２０２に対して計数を行い（Ｓ３０４）、その後、処理をステップＳ３０５に進める。
【０１２３】
ステップＳ３０５において、制御部３１は、図３に示した硬貨カセット２１３の金額が確定しているか否かを判定する（Ｓ３０５）。具体的には、制御部３１は、前回の精査処理の後に、上述の事象（９）〜（１１）の何れも生じていない場合に、硬貨カセット２１３の金額が確定していると判定する。硬貨カセット２１３の金額が確定している場合（Ｓ３０５：ＹＥＳ）、制御部３１は、硬貨カセット２１３に対して計数を行うことなく（Ｓ３０６）、処理を終了する。他方、硬貨カセット２１３の金額が確定していない場合（Ｓ３０５：ＮＯ）、すなわち、前回の精査処理の後に、上述の事象（９）〜（１１）の何れかが生じた場合、制御部３１は、硬貨カセット２１３に対して計数を行い（Ｓ３０７）、その後、処理を終了する。
【０１２４】
ステップＳ３０８において、制御部３１は、紙幣入出金ユニット１１（紙幣スタッカ１８０、紙幣カセット１７０）の金額が確定しているか否かを判定する（Ｓ３０８）。具体的には、制御部３１は、前回の精査処理の後に、上述の事象（１）〜（５）の何れも生じていない場合に、紙幣入出金ユニット１１の金額が確定していると判定する。紙幣入出金ユニット１１の金額が確定している場合（Ｓ３０８：ＹＥＳ）、制御部３１は、３つの紙幣スタッカ１８０および２つの紙幣カセット１７０の全てに対して計数を行うことなく（Ｓ３０９）、処理を終了する。他方、紙幣入出金ユニット１１の金額が確定していない場合（Ｓ３０８：ＮＯ）、すなわち、前回の精査処理の後に、上述の事象（１）〜（５）の何れかが生じた場合、制御部３１は、３つの紙幣スタッカ１８０および紙幣カセット１７０に対して計数を行い（Ｓ３１０）、その後、処理を終了する。
【０１２５】
図１４（ａ）は、通常精査処理（Ｓ２０４）を示すフローチャートである。
【０１２６】
制御部３１は、クイック精査処理の場合と同様、まず、紙幣入出金ユニット１１と硬貨入出金ユニット１２の何れが精査処理の対象とされたかを判定する（Ｓ４０１）。具体的には、図８（ｃ）の画面Ｄ１３において、チェックボックスＣ１１、Ｃ１２の一方または両方が選択されたかを判定する。紙幣入出金ユニット１１のみが精査処理の対象とされた場合、制御部３１は、ステップＳ４０３の処理を行い、硬貨入出金ユニット１２のみが精査処理の対象とされた場合、制御部３１は、ステップＳ４０２の処理を行う。紙幣入出金ユニット１１と硬貨入出金ユニット１２の両方が精査処理の対象とされた場合、制御部３１は、ステップＳ４０２の処理とステップＳ４０３の処理の両方を行う。
【０１２７】
ステップＳ４０２において、制御部３１は、６つの硬貨スタッカ２０２および硬貨カセット２１３に対して計数を行い、その後、処理を終了する。ステップＳ４０３において、制御部３１は、３つの紙幣スタッカ１８０および紙幣カセット１７０に対して計数を行い、その後、処理を終了する。
【０１２８】
図１２（ｂ）に戻り、上記のようにして、クイック精査処理（Ｓ２０３）または通常精査処理（Ｓ２０４）を実行した後、制御部３１は、精査後処理を実行する（Ｓ２０５）。
【０１２９】
具体的には、制御部３１は、ステップＳ２０５において、各貨幣収容部の在高と取引ログに基づく在高とを比較し、両在高が一致するか否かを判定する。ここで、両在高が一致しない場合、制御部３１は、さらに両在高の差額を算出し、両在高が一致しないこと、および両在高の差額を報知するための処理を実行する。これにより、図９（ｂ）に示したメッセージＭ１３が表示され、領域Ｒ１４に差額が表示される。
【０１３０】
また、ステップＳ２０５の精査後処理では、上述のリジェクト戻しの処理が行われる。すなわち、リジェクトボックス１７または硬貨出金ボックス１６ａにリジェクト紙幣またはリジェクト硬貨が収容されている場合、オペレータは、リジェクト紙幣またはリジェクト硬貨を抜き取って貨幣入出金機１に投入し、リジェクト紙幣またはリジェクト硬貨の計数を行わせる。図９（ａ）、（ｂ）に示したボタンＢ１８は、リジェクト戻しが終了し、全ての貨幣の計数が完了した後、表示される。
【０１３１】
こうして、全ての貨幣について精査が完了すると、オペレータは、図９（ａ）、（ｂ）または図１１（ｂ）の画面Ｄ１４を参照した後、ボタンＢ１８にタッチする。これにより、図１２（ｂ）に示した精査処理が終了する。
【０１３２】
なお、ボタンＢ１８がタッチされた際に、各貨幣収容部の在高と取引ログに基づく在高とが不一致である場合は、不一致であることおよび両在高の差額を含む報知情報が、管理コンピュータや、管理者のパソコン、携帯端末等に通信により送信されてもよい。この場合、さらに、貨幣入出金機１の号機情報等、貨幣入出金機１を特定する情報が報知情報とともに送信されてもよい。
【０１３３】
図１４（ｂ）は、上位端末２から精査指示があった場合の処理を示すフローチャートである。
【０１３４】
本実施形態では、上位端末２から精査指示があった場合は（Ｓ５０１：ＹＥＳ）、精査処理の設定条件に拘わらず、一律、クイック精査処理が実行される（Ｓ５０２）。すなわち、クイック精査処理の設定曜日が火曜日、水曜日、木曜日である場合、制御部３１は、これらの設定曜日から外れる月曜日に、上位端末２から精査指示を受けると、これに応じて、通常精査処理ではなくクイック精査処理を実行する。クイック精査処理は、図１３に示したフローチャートに従って実行される。精査対象の入出金ユニット（紙幣入出金ユニット１１、硬貨入出金ユニット１２）は、上位端末２によって指定される。ステップＳ５０２のクイック精査処理が終了した後、制御部３１は、精査後処理を実行する（Ｓ５０３）。精査後処理は、図１２（ｂ）のステップＳ２０５と同様である。
【０１３５】
このように、上位端末２からの指示により行われる精査処理がクイック精査処理に固定されることにより、オペレータは、貨幣入出金機１の精査処理が通常精査処理に設定されている曜日であっても、上位端末２を用いることで、簡便に、クイック精査処理を行うことができる。なお、上位端末２からの指示により行われる精査処理が通常精査処理に固定されてもよい。また、上位端末２からの指示により行われる精査処理を、精査処理の設定条件によってクイック精査処理と通常精査処理との間で切り替えることができるようにしてもよい。
【０１３６】
＜実施形態の効果＞
本実施形態によれば、以下の効果が奏され得る。
【０１３７】
図８（ｂ）に示した画面Ｄ１２によって、ユーザが所望する態様（曜日）で精査処理をクイック精査処理と通常精査処理との間で切り替えることができる。よって、ユーザは、たとえば、貨幣入出金機１が設置される施設の就業スケジュールや貨幣入出金機１の運用傾向等を勘案しながら、所望の態様で、クイック精査処理と通常精査処理を実行させることができる。これにより、貨幣入出金機１の利便性を高めることができる。
【０１３８】
図１３に示したように、クイック精査処理において、制御部３１は、複数の貨幣収容部（紙幣スタッカ１８０、紙幣カセット１７０、硬貨スタッカ２０２、硬貨カセット２１３）のうち、貨幣の在高が不確定となり得る事象が生じていない貨幣収容部に対しては貨幣の計数を行わず（ステップＳ３０３、Ｓ３０６、Ｓ３０９）、この事象が生じている貨幣収容部に対して貨幣の計数を行う（Ｓ３０４、Ｓ３０７、Ｓ３１０）。このように、クイック精査処理の際に、在高が不確定な可能性のある貨幣収容部のみに対して貨幣の計数が行われることにより、クイック精査処理を迅速かつ効率的に実行させることができる。
【０１３９】
図８（ｂ）および図１０（ｂ）に示したように、クイック精査処理と通常精査処理の何れ精査処理を行うかの条件が、曜日によって設定され得る。これにより、たとえば、週の中頃の曜日には、クイック精査処理により簡易に在高の確認を行い、週の初めや終わりの曜日には、通常精査処理により精緻に在高の確認を行う等の運用を行うことができる。この他、ランダムな曜日に抜き打ち的に、精査処理をクイック精査処理から通常精査処理に切り替えることもできる。このように、本実施形態によれば、所望のスケジュール（曜日）でクイック精査処理と通常精査処理とを切り替えることができる。
【０１４０】
図１０（ａ）に示したように、制御部３１は、クイック精査処理の際に、在高が不確定となり得る事象が生じている場合、不確定な在高を示す情報（メッセージＭ２１）を操作表示部１８に表示させる。これにより、オペレータは、クイック精査処理において貨幣の計数が行われることを把握できる、また、オペレータは、この情報から不確定な在高の大きさを直ちに把握でき、さらに、不確定な在高の内容から、何れの貨幣収容部において在高が不確定となり得る事象が生じたかについての見当を付けることができる。よって、オペレータは、精査処理に基づく対応を的確かつ円滑に進めることができる。
【０１４１】
なお、本実施形態では、図１０（ａ）に示したクイック精査処理の際の画面Ｄ１１に不確定な在高を示す情報（メッセージＭ２１）を表示させたが、図８（ａ）に示した通常精査処理の際の画面Ｄ１１にも不確定な在高を示す情報を表示させてもよい。また、不確定な在高を示す情報が、画面Ｄ１１とともに、音声により報知されてもよい。
【０１４２】
さらに、不確定な在高を示す情報が、通信部３３によって上位端末２や管理コンピュータ等の外部装置へ送信されてもよい。この場合、制御部３１は、上記事象（１）〜（１１）の何れかが生じている場合に、クイック精査処理または通常精査処理の際に、不確定な在高を示す情報を通信部３３から外部装置に送信させる。たとえば、制御部３１は、図１２（ｂ）のステップＳ２０１の判定がＹＥＳとなったことに応じて、不確定な在高を示す情報を通信部３３から外部装置に送信させる。
【０１４３】
この構成によれば、外部装置において管理者等が不確定な在高を示す情報を確認することができ、さらに、その在高によって、何れの貨幣収容部において在高が不確定となり得る事象が生じたかを概ね把握できる。これにより、管理者等は、精査処理に基づく対応を的確かつ円滑に進めることができる。なお、この処理が、クイック精査処理および通常精査処理の何れか一方においてのみ実行されてもよい。
【０１４４】
図１０（ｄ）に示したように、制御部３１は、クイック精査処理の際に、確定している在高を示す情報（領域Ｒ１２、Ｒ１３）を操作表示部１８に表示させる。これにより、オペレータは、何れの貨幣収容部において在高が確定しているかの見当を付けることができる。よって、オペレータは、精査処理に基づく対応を的確かつ円滑に進めることができる。
【０１４５】
なお、本実施形態では、図１０（ｄ）に示したクイック精査処理の際の画面Ｄ１４において確定している在高を示す情報（領域Ｒ１２、Ｒ１３）を表示させたが、図８（ｄ）に示した通常精査処理の際の画面Ｄ１４にも確定している在高を示す情報を表示させてもよい。また、確定した在高を示す情報が、画面Ｄ１４とともに、音声により報知されてもよい。
【０１４６】
＜変更例＞
図１４（ｂ）に示したように、制御部３１は、上位端末２から精査指示を受けた場合に、一律、クイック精査処理を実行したが、上位端末２において、オペレータが、クイック精査処理と通常精査処理を任意に設定できる構成であってもよい。この場合、図１４（ｂ）のフローチャートは図１５（ａ）のように変更される。
【０１４７】
すなわち、図１５（ａ）において、制御部３１は、上位端末２から精査指示を受けると（Ｓ５０１：ＹＥＳ）、精査指示がクイック精査処理と通常精査処理の何れであるかを判定する（Ｓ５１１）。そして、制御部３１は、精査指示がクイック精査処理である場合は（Ｓ５１１：ＹＥＳ）、クイック精査処理を実行し（Ｓ５１２）、精査指示が通常精査処理である場は（Ｓ５１１：ＮＯ）、通常精査処理を実行する（Ｓ５１３）。クイック精査処理（Ｓ５１２）および通常精査処理（Ｓ５１３）は、それぞれ、図１３および図１４（ａ）に示した処理と同様である。
【０１４８】
この変更例によれば、上位端末２にてクイック精査処理または通常精査処理を選択する操作が必要となるものの、オペレータが所望する精査処理を適宜実行させることができる。
【０１４９】
なお、貨幣入出金機１の起動時等において上位端末２から貨幣入出金機１に送信される設定ファイルに、クイック精査処理と通常精査処理の切り替え条件（ここでは、クイック精査処理を実行する曜日）を含ませておき、この設定ファイルによって、貨幣入出金機１の記憶部３２に切り替え条件が設定されるようにしてもよい。この設定ファイルは、予め、メーカにより施設ごとにカスタマイズされてもよく、上位端末２においてオペレータが任意に設定できるようにしてもよい。
【０１５０】
また、上記実施形態では、ユーザが任意に設定した条件（ここでは曜日）に基づいて、クイック精査処理と通常精査処理が切り替えられたが、さらに、その他の条件を加味してクイック精査処理と通常精査処理が切り替えられてもよい。
【０１５１】
たとえば、同一施設内に複数の貨幣入出金機１や、出納機等のその他の貨幣処理装置が設置されている場合、一の装置でエラー等の不具合が生じると、他の装置においても同様の不具合が生じている可能性がある（貨幣を入金あるいは装填する装置を間違えた場合が想定される）。この場合、他の装置の不具合によって、貨幣入出金機１における在高情報が不正確になっていることも想定され得る。
【０１５２】
このような事象を考慮して、貨幣入出金機１の制御部３１は、通信部３３を介して他の貨幣処理装置で在高に関連し得る不具合が生じたことの通知を受けた場合に、ユーザが任意に設定した上記条件に拘わらず、精査処理において通常精査処理を実行するよう構成されてもよい。
【０１５３】
この場合、図１２（ｂ）のフローチャートは、図１５（ｂ）のように変更される。図１５（ｂ）のフローチャートは、図１２（ｂ）に比べてステップＳ２１１が追加されている。図８（ａ）または図１０（ａ）に示した管理メニューにおいて、オペレータが選択項目Ｓ１１を選択すると、制御部３１は、まず、前回の精査処理の後に、他の貨幣処理装置において在高に関連し得る不具合が生じたことの通知を受信したか否かを判定する（Ｓ２１１）。この通知を受信した場合（Ｓ２１１：ＹＥＳ）、制御部３１は、ユーザが任意に設定した上記条件に拘わらず、通常精査処理を実行する（Ｓ２０４）。この通知を受信していない場合（Ｓ２０２：ＮＯ）、制御部３１は、処理をステップＳ２０２に進めて、クイック精査処理の条件が充足されているか否かを判定する。ステップＳ２０２以降の処理は、図１２（ｂ）のフローチャートと同様である。
【０１５４】
この構成によれば、他の貨幣処理装置において在高に関連し得る不具合が生じたことの通知を受けた場合に、設定された条件に拘わらず、精査処理において通常精査処理が実行されるため、貨幣収容部（紙幣スタッカ１８０、紙幣カセット１７０、硬貨スタッカ２０２、硬貨カセット２１３）に収容されている通貨の在高をより正確に管理することができる。
【０１５５】
図１６は、この変更例を実現するための貨幣処理システム３００の構成例を模式的に示す図である。
【０１５６】
この構成例では、施設内に敷設されたＬＡＮ６によって、２つの貨幣入出金機１、両替機４および出納機５が管理コンピュータ７に接続されて、貨幣処理システム３００が構成されている。管理コンピュータ７は、さらに、外部ネットワーク９によって、施設外の管理センターに設置されたコンピュータ８に接続されている。
【０１５７】
管理コンピュータ７は、各貨幣処理装置（２つの貨幣入出金機１、両替機４、出納機５）の状態を管理データベース７ａで管理している。各貨幣処理装置において生じた各種エラー（精査処理における在高の不一致や、貨幣の在高が不確定となり得る上記事象の発生の有無を含む）は、随時、管理データベース７ａに格納される。
【０１５８】
管理コンピュータ７は、各貨幣処理装置から受信した各種エラーの情報に基づいて、各貨幣処理装置で在高に関連し得る不具合が生じたか否かを判定し、この不具合が生じた場合に、そのことを示す通知をその他の貨幣処理装置に送信する。たとえば、出納機５の精査処理において在高の不一致が生じた場合、管理コンピュータ７は、そのことを示す通知を、２つの貨幣入出金機１と両替機４に送信する。この場合、貨幣入出金機１では、図１５（ｂ）のステップＳ２１１の判定がＹＥＳとなって、精査処理の際に通常精査が実行される。
【０１５９】
なお、上記実施形態では、貨幣入出金機１に対して図１２（ａ）〜図１４（ｂ）の処理または図１５（ａ）、（ｂ）の処理が適用されたが、これらの処理が、両替機４や出納機５等の他の貨幣処理装置に適用されてもよい。また、各貨幣処理装置の不具合が、管理コンピュータ７を介することなく、直接、各貨幣処理装置から他の貨幣処理装置に通知されてもよい。
【０１６０】
また、上記実施形態では、貨幣入出金機１において、クイック精査処理および通常精査処理の切り替え条件の設定および当該条件に基づく判定が行われたが、これらの設定および判定が管理コンピュータ７において行われてもよい。この場合、管理コンピュータ７は、設定された条件に基づいてクイック精査処理および通常精査処理の何れを実行すべきかを判定し、判定結果に基づく精査指示を各貨幣処理装置（２つの貨幣入出金機１、両替機４、出納機５）に送信する。各貨幣処理装置では、受信した精査指示に基づいて、クイック精査処理および通常精査処理の何れか一方を実行する。この構成によっても、上記実施形態と同様の効果が奏され得る。
【０１６１】
また、上記実施形態では、図１０（ａ）に示すように、不確定箇所があることおよび不確定金額を示す情報（メッセージＭ２１）が、管理メニューを示す画面Ｄ１１に表示されたが、この情報が他の画面に表示されてもよい。同様に、確定金額を示す情報が、図１１（ｂ）に示した画面Ｄ１４以外の画面に表示されてもよい。
【０１６２】
たとえば、図１７（ａ）に示すように、クイック精査において在高が不確定な貨幣収容部が存在する場合に、不確定箇所があることおよび不確定金額を示す情報（メッセージＭ２３）が、精査対象のユニットを選択するための画面Ｄ１３に表示されてもよい。また、図１７（ｂ）に示すように、クイック精査において在高が不確定な貨幣収容部が存在しない場合に、不確定箇所がないことおよび確定金額を示す情報（メッセージＭ２４）が、精査対象のユニットを選択するための画面Ｄ１３に表示されてもよい。
【０１６３】
この場合、不確定箇所が存在するか否かは、紙幣入出金ユニット１１および硬貨入出金ユニット１２ごとに判定され、表示される。たとえば、硬貨入出金ユニット１２のみに不確定箇所がある場合、図１７（ｃ）のように硬貨入出金ユニット１２の指定を解除すると、図１７（ａ）の画面Ｄ１３において表示されていたメッセージＭ２３が、不確定箇所がないことおよび確定金額を示すメッセージＭ２４に切り替わる。この場合、メッセージＭ２４には、紙幣入出金ユニット１１の確定金額が含まれる。
【０１６４】
また、たとえば、紙幣入出金ユニット１１と硬貨入出金ユニット１２の両方に不確定箇所がある場合、図１７（ｄ）のように紙幣入出金ユニット１１の指定を解除すると、図１７（ａ）の画面Ｄ１３において表示されていたメッセージＭ２３の不確定金額が、硬貨入出金ユニット１２の不確定金額に変更される。
【０１６５】
このように、図１７（ａ）〜（ｄ）の表示方法によれば、オペレータは、紙幣入出金ユニット１１および硬貨入出金ユニット１２ごとに、在高が確定しているか否かと、不確定金額または確定金額を知ることができる。
【０１６６】
また、上記実施形態では、クイック精査処理と通常精査処理の何れを行うかの条件として曜日が用いられたが、条件の設定形態は曜日に限られるものではない。たとえば、この条件は、日または時間帯であってもよい。
【０１６７】
図１８（ａ）は、条件として、通常精査処理の実行日を設定するための画面Ｄ１２を示す図である。
【０１６８】
この画面Ｄ１２には、通常精査処理の実行日を設定するための画面であることを示すタイトルＴ３１と、月を前月および翌月に送るためのボタンＢ３１、Ｂ３２と、通常精査処理の実行日を選択するためのコラムＣ３１とが配されている。ボタンＢ３１、Ｂ３２がタッチされると、コラムＣ３１に表示されるカレンダーが前月または翌月のカレンダーに変更される。
【０１６９】
ユーザは、コラムＣ３１に表示された所望の日にタッチすることにより、通常精査処理の実行日を指定できる。ユーザは、一旦指定した実行日に再度タッチすることにより、当該日の指定を解除できる。ここでは、１１月２、９、１０、１６、１７、２４、３０日が、通常精査処理の実行日として選択されている。１１月３日と１１月２３日は祝日であり、業務が行われない日であるため、通常精査処理の実行日から除かれている。ユーザがボタンＢ１５にタッチすると、コラムＣ３１で指定された日が、通常精査処理の実行日として記憶部３２に記憶される。
【０１７０】
図１８（ｂ）は、条件として、通常精査処理の曜日と時間帯を設定するための画面Ｄ１２を示す図である。
【０１７１】
この画面Ｄ１２には、通常精査処理を実行する曜日を指定するためのボタンＢ３３と、時間帯の開始時刻および終了時刻を指定するための領域Ｒ３１、Ｒ３２と、時間帯の開始時刻および終了時刻を変更するためのボタンＢ３４、Ｂ３５とが配されている。ユーザがボタンＢ３４、Ｂ３５にタッチすると、各時刻の選択候補がそれぞれスクロール可能に表示される。表示された選択候補（時刻）の１つをユーザが選択すると、選択された時刻が開始時刻および終了時刻として指定される。ここでは、開始時刻および終了時刻にそれぞれ１７時と１９時が指定されている。
【０１７２】
その後、ユーザがボタンＢ１５にタッチすると、ボタンＢ３３で指定された曜日と、領域Ｒ３１、Ｒ３２で指定された時間帯が、通常精査処理の実行曜日および実行時間帯として記憶部３２に記憶される。図１８（ｂ）の例では、通常精査処理の実行曜日として木曜日と金曜日が設定され、通常精査処理の実行時間帯として１７時から１９時が設定される。この場合、精査処理が木曜日と金曜日の１７時から１９時に行われる場合には通常精査処理が実行され、その他の曜日および時間帯ではクイック精査処理が実行される。
【０１７３】
なお、図１８（ｂ）の例では、曜日と時間帯の組合せによって、通常精査処理を実行するための条件が設定されたが、この条件が、日と時間帯の組合せによって設定されてもよく、あるいは、時間帯のみによって設定されてもよい。
【０１７４】
この他、クイック精査処理と通常精査処理の何れを行うかの条件が、精査処理の実行間隔や実行回数により設定されてもよい。
【０１７５】
図１８（ｃ）は、条件として、通常精査処理の実行間隔を設定するための画面Ｄ１２を示す図である。
【０１７６】
この画面Ｄ１２には、通常精査処理の設定方法を説明するためのメッセージＭ３１と、通常精査処理の実行間隔を設定するための領域Ｒ３３およびボタンＢ３６が配されている。ユーザがボタンＢ３６にタッチすると、日数の選択候補がスクロール可能に表示される。表示された選択候補（日数）の１つをユーザが選択すると、選択された日数が領域Ｒ３３に表示される。ここでは、日数として５日間が指定されている。この場合、メッセージＭ３１には、前回の通常精査処理から５日間が経過すると、次の精査処理において通常精査処理が実行されることが表示される。その後、ユーザがボタンＢ１５にタッチすると、領域Ｒ３３で指定された日数が、通常精査処理の実行条件として、記憶部３２に記憶される。
【０１７７】
図１８（ｄ）は、条件として、クイック精査処理の実行回数を設定するための画面Ｄ１２を示す図である。
【０１７８】
この画面Ｄ１２には、通常精査処理の設定方法を説明するためのメッセージＭ３２と、クイック精査処理の実行回数を設定するための領域Ｒ３４およびボタンＢ３７が配されている。ユーザがボタンＢ３７にタッチすると、実行回数の選択候補がスクロール可能に表示される。表示された選択候補（実行回数）の１つをユーザが選択すると、選択された実行回数が領域Ｒ３４に表示される。ここでは、実行回数として４回が指定されている。この場合、メッセージＭ３２には、前回の通常精査処理から連続して４回クイック精査処理が実行されると、次の精査処理において通常精査処理が実行されることが表示される。その後、ユーザがボタンＢ１５にタッチすると、領域Ｒ３４で指定された実行回数が、通常精査処理の実行条件として、記憶部３２に記憶される。
【０１７９】
図１８（ｃ）、（ｄ）の構成によれば、通常精査処理が所定の日数に亘って実行されない場合、または、クイック精査処理が所定回数連続して行われた場合は、次回の精査処理を通常精査処理に設定する等の運用を行い得る。これにより、貨幣収容部（紙幣スタッカ１８０、紙幣カセット１７０、硬貨スタッカ２０２、硬貨カセット２１３）の貨幣が長期に亘って計数されないことを防ぐことができ、貨幣収容部の在高を適切に確認することができる。
【０１８０】
なお、図１８（ｃ）、（ｄ）に示した条件の設定方法は、図８（ｂ）および図１０（ｂ）に示した条件の設定方法、あるいは図１８（ａ）、（ｂ）に示した条件の設定方法とともに併用されてもよい。
【０１８１】
また、精査処理の実行回数を条件とする構成として、所定期間（たとえば１日）の間に所定回数クイック精査処理が連続して行われると、次の精査処理を通常精査処理に設定するようにしてもよい。この他、精査処理（特に、通常精査処理）が行われることなく、貨幣入出金機１の電源のオン／オフが所定回数（たとえば４回）繰り返されると、次の精査処理を通常精査処理に設定するようにしてもよい。これにより、在高の正当性をより確実に担保することができる。
【０１８２】
また、たとえば、通常の頻度よりも高頻度で貨幣入出金機１の電源のオン／オフが行われた場合は、貨幣入出金機１に何らかの不具合が生じて在高が不確定になっている可能性が想定され得る。したがって、たとえば、１日の間に複数回、貨幣入出金機１の電源のオン／オフが行われた場合は、次の精査処理において通常精査処理を実行するとの設定がなされてもよい。この他、取引処理（入金、出金等）が所定回数（たとえば１００回）行われると、次の精査処理は通常精査処理を行うとの設定がなされてもよい。
【０１８３】
また、上記実施形態では、操作表示部１８が操作部と表示部とが一体化された構成であったが、操作部と表示部とが別体であってもよく、あるいは、操作表示部１８が本体１０ａとは別に設けられ、無線または有線により本体１０ａ側と接続された構成であってもよい。この場合、図４および図５に示した制御部３１、記憶部３２および通信部３３が、操作表示部１８側に設けられてもよい。
【０１８４】
また、上記実施形態では、紙幣入出金ユニット１１および硬貨入出金ユニット１２を備える貨幣入出金機１が、本発明の貨幣処理装置の一例として示されたが、紙幣入出金ユニット１１のみを備える紙幣入出金機または硬貨入出金ユニット１２のみを備える硬貨入出金機に本発明が適用されてもよい。
【０１８５】
この他、本発明の実施形態は、特許請求の範囲に記載の範囲で適宜変更可能である。
【符号の説明】
【０１８６】
１  貨幣入出金機（貨幣処理装置）
２  上位端末
１８  操作表示部
３１  制御部
３２  記憶部
３３  通信部
１７０  紙幣カセット（貨幣収容部）
１８０  紙幣スタッカ（貨幣収容部）
２０２  硬貨スタッカ（貨幣収容部）
２１３  硬貨カセット（貨幣収容部）
３００  貨幣処理システム
【図１】
2019087093.tif 000003
【図２】
2019087093.tif 000004
【図３】
2019087093.tif 000005
【図４】
2019087093.tif 000006
【図５】
2019087093.tif 000007
【図６】
2019087093.tif 000008
【図７】
2019087093.tif 000009
【図８】
2019087093.tif 000010
【図９】
2019087093.tif 000011
【図１０】
2019087093.tif 000012
【図１１】
2019087093.tif 000013
【図１２】
2019087093.tif 000014
【図１３】
2019087093.tif 000015
【図１４】
2019087093.tif 000016
【図１５】
2019087093.tif 000017
【図１６】
2019087093.tif 000018
【図１７】
2019087093.tif 000019
【図１８】
2019087093.tif 000020